(57)【要約】【課題】かつら販売システム、かつら販売方法、及び、かつら販売プログラムにおいて、かつら購入者が極力人に接することなく、満足するかつらを購入することができるようにする。【解決手段】ネットワーク１０を介してかつらを販売するかつら販売システム１において、ユーザ（１１）が入力するユーザ情報１２を取得するユーザ情報取得部２と、ユーザ情報１２に基づいて、かつらのシミュレーション画像１３を作成するシミュレーション画像作成部３と、作成したシミュレーション画像１３をユーザ（１１）に送信するシミュレーション画像送信部４とを備える構成とする。【選択図】図１
2008210208.tif 000002
【特許請求の範囲】
【請求項１】
ネットワークを介してかつらを販売するかつら販売システムにおいて、
ユーザが入力するユーザ情報を取得するユーザ情報取得手段と、
前記ユーザ情報に基づいて、かつらのシミュレーション画像を作成するシミュレーション画像作成手段と、
前記作成したシミュレーション画像を前記ユーザに送信するシミュレーション画像送信手段と
を備えることを特徴とするかつら販売システム。
【請求項２】
前記ユーザ情報は、前記ユーザの頭頂部から前後左右の生え際までの長さ、頭部の周囲の長さ、毛量、毛色、毛の長さ、及び、ヘアースタイルの中から選択されることを特徴とする請求項１記載のかつら販売システム。
【請求項３】
前記ユーザが購入を決定したかつらのユーザ情報を製造情報として、かつらベース製造装置に送信する製造情報送信手段を更に備えることを特徴とする請求項１又は請求項２記載のかつら販売システム。
【請求項４】
前記かつらベース製造装置を更に備えることを特徴とする請求項３記載のかつら販売システム。
【請求項５】
前記ユーザの自毛の毛色、太さ、カール性、及び、硬さの少なくとも１つの、かつら販売者が入力する人毛情報を記憶する人毛情報記憶手段を更に備えることを特徴とする請求項１から請求項４のいずれか１項記載のかつら販売システム。
【請求項６】
ネットワークを介してコンピュータによりかつらを販売するかつら販売方法において、
ユーザが入力するユーザ情報を取得し、
該ユーザ情報に基づいてかつらのシミュレーション画像を作成し、
該作成したシミュレーション画像を前記ユーザに送信する
ことを特徴とするかつら販売方法。
【請求項７】
前記ユーザが購入を決定したかつらのユーザ情報を製造情報として、かつらベース製造装置に送信することを特徴とする請求項６記載のかつら販売方法。
【請求項８】
前記ユーザの自毛の毛色、太さ、カール性、及び、硬さの少なくとも１つの、かつら販売者が入力する人毛情報を記憶することを特徴とする請求項６又は請求項７記載のかつら販売方法。
【請求項９】
ネットワークを介したかつらの販売をコンピュータに行わせるかつら販売プログラムにおいて、
ユーザが入力するユーザ情報を取得する機能と、
前記ユーザ情報に基づいてかつらのシミュレーション画像を作成する機能と、
前記作成したシミュレーション画像を前記ユーザに送信する機能と
を実現することを特徴とするかつら販売プログラム。
【請求項１０】
前記ユーザが購入を決定したかつらのユーザ情報を製造情報として、かつらベース製造装置に送信する機能を更に実現することを特徴とする請求項９記載のかつら販売プログラム。
【請求項１１】
前記ユーザの自毛の毛色、太さ、カール性、及び、硬さの少なくとも１つの、かつら販売者が入力する人毛情報を記憶する機能を更に実現することを特徴とする請求項９又は請求項１０記載のかつらプログラム。
【発明の詳細な説明】
【技術分野】
【０００１】
本発明は、ネットワークを介してかつらを販売するかつら販売システム、かつら販売方法及びかつら販売プログラムに関する。
【背景技術】
【０００２】
従来、かつらを購入する者の多くは、自毛が薄いのを隠すためにかつらを購入している。そのため、かつら購入者は、サロン等のかつら販売店に出向くのを極力避けたがるのが一般的である。
【０００３】
ここで、インターネットを介してかつらを販売している業者が存在するため、このような業者を介してかつらを購入すれば、かつら販売店に出向くのを、かつら受け渡し時のみとすることができる。また、郵送等でかつらを受け取れば、販売店に出向く必要もなくなる。
【０００４】
なお、インターネットを介して商品を販売する商品販売システムにおいて、ユーザから取得した情報に基づいて商品を設計してユーザに提示するオーダーメイド商品販売システムが提案されている（例えば、特許文献１参照）。
【特許文献１】特開２００５−３３２１７２号公報
【発明の開示】
【発明が解決しようとする課題】
【０００５】
ところで、インターネットを介してかつらを購入すると、かつら購入者は、希望する条件に合ったかつらがどのようなものか実際に確かめることなく購入することになるため、意図していたかつらと相違することが多く、満足するかつらを購入するのは困難であった。そのため、かつら購入者がかつら販売店に出向くと、結局、インターネットを介して購入するメリットが失われてしまう。
【０００６】
また、かつらの購入を希望する者が、上記特許文献１記載のオーダーメイド商品販売システムを利用したとしても、かつらの値段、かつらの大きさ等の情報が提示されるだけでは、満足するかつらを購入することはできない。
【０００７】
本発明の課題は、上記従来の実情に鑑み、かつら購入者が極力人に接することなく、満足するかつらを購入することができるかつら販売システム、かつら販売方法、及び、かつら販売プログラムを提供することである。
【課題を解決するための手段】
【０００８】
上記課題を解決するために、本発明のかつら販売システムは、ネットワークを介してかつらを販売するかつら販売システムにおいて、ユーザが入力するユーザ情報を取得するユーザ情報取得手段と、上記ユーザ情報に基づいて、かつらのシミュレーション画像を作成するシミュレーション画像作成手段と、上記作成したシミュレーション画像を上記ユーザに送信するシミュレーション画像送信手段とを備える構成とする。
【０００９】
また、上記ユーザ情報は、上記ユーザの頭頂部から前後左右の生え際までの長さ、頭部の周囲の長さ、毛量、毛色、毛の長さ、及び、ヘアースタイルの中から選択される構成とするとよい。
【００１０】
また、上記ユーザが購入を決定したかつらのユーザ情報を製造情報として、かつらベース製造装置（かつらベース、このかつらベースを製造するための型、及び、型を製造するための予備型、のいずれかを製造する装置）に送信する製造情報送信手段を更に備える構成とする。
【００１１】
また、上記かつらベース製造装置を更に備える構成とするとよい。
上記ユーザの自毛の毛色、太さ、カール性、及び、硬さの少なくとも１つの、かつら販売者が入力する人毛情報を記憶する人毛情報記憶手段を更に備える構成とするとよい。
【００１２】
上記課題を解決するために、本発明のかつら販売方法は、ネットワークを介してコンピュータによりかつらを販売するかつら販売方法において、ユーザが入力するユーザ情報を取得し、このユーザ情報に基づいてかつらのシミュレーション画像を作成し、この作成したシミュレーション画像を上記ユーザに送信するようにする。
【００１３】
また、上記ユーザが購入を決定したかつらのユーザ情報を製造情報として、かつらベース製造装置に送信するようにするとよい。
また、上記ユーザの自毛の毛色、太さ、カール性、及び、硬さの少なくとも１つの、かつら販売者が入力する人毛情報を記憶するようにするとよい。
【００１４】
上記課題を解決するために、本発明のかつら販売プログラムは、ネットワークを介したかつらの販売をコンピュータに行わせるかつら販売プログラムにおいて、ユーザが入力するユーザ情報を取得する機能と、上記ユーザ情報に基づいてかつらのシミュレーション画像を作成する機能と、上記作成したシミュレーション画像を上記ユーザに送信する機能とを実現する構成とする。
【００１５】
また、上記ユーザが購入を決定したかつらのユーザ情報を製造情報として、かつらベース製造装置に送信する機能を更に実現する構成とするとよい。
また、上記ユーザの自毛の毛色、太さ、カール性、及び、硬さの少なくとも１つの、かつら販売者が入力する人毛情報を記憶する機能を更に実現する構成とするとよい。
【発明の効果】
【００１６】
本発明では、ユーザ（ユーザ端末）から送信されるユーザ情報に基づいてかつらの完成シミュレーション画像を作成し、このシミュレーション画像をユーザ（ユーザ端末）に送信するため、ユーザが人に接することなく所望のかつらを選択することができる。また、ユーザは、シミュレーション画像を見て購入を判断するため、意図していたかつらを購入することができる。よって、本発明によれば、かつら購入者が極力人に接することなく、満足するかつらを購入することができる。
【発明を実施するための最良の形態】
【００１７】
以下、図面を参照しながら、本発明の実施の形態に係るかつら販売システム、かつら販売方法及びかつら販売プログラムについて説明する。
図１は、本発明の一実施の形態に係るかつら販売システムの全体構成図である。
【００１８】
同図において、かつら販売システム１は、ユーザがユーザ端末１１において入力するユーザ情報１２を取得するユーザ情報取得部２と、ユーザ情報１２に基づいて、かつらのシミュレーション画像１３を作成するシミュレーション画像作成部３と、シミュレーション画像１３をユーザ端末１１に送信するシミュレーション画像送信部４とを備えている。
【００１９】
図２は、上記かつら販売システムの処理の流れを示すフローチャートである。
同図に示す処理には、ごく標準的な構成を有するコンピュータ、すなわち、図３に示すように、制御プログラムを実行することで各構成要素を制御するＣＰＵ２１と、ＲＯＭやＲＡＭ及び磁気記憶装置などからなり、ＣＰＵ２１に各構成要素を制御させる制御プログラムの記憶やＣＰＵ２１が制御プログラムを実行する際のワークエリアあるいは各種データの記憶領域として使用される記憶部２２と、ユーザによる操作に対応する各種のデータが取得される入力部２３と、ディスプレイなどに各種のデータを提示してユーザに通知する出力部２４と、他の機器とのデータ授受のためのインタフェース機能を提供するＩ／Ｆ部２５とを備えているコンピュータ２０を用いることができる。
【００２０】
なお、かつら販売の処理をコンピュータ２０に行わせるには、例えば、図２に示した手順の処理をコンピュータ２０に行わせる制御プログラムを作成してコンピュータで読み取り可能な記録媒体に記録させておき、その制御プログラムを記録媒体からコンピュータ２０に読み出させて実行させればよく、この結果、コンピュータ２０はかつら販売システム１として機能する。
【００２１】
なお、記録させた制御プログラムをコンピュータ２０で読み取ることの可能な記録媒体としては、例えば、コンピュータ２０に内蔵若しくは外付けの付属装置として備えられるＲＡＭ若しくはＲＯＭ又はハードディスク装置などのメモリ、あるいはＭＯ（光磁気ディスク）、ＣＤ−ＲＯＭ、ＤＶＤ−ＲＯＭ、ＦＤ（フレキシブルディスク）などといった可搬型記録媒体等が利用できる。
【００２２】
また、記録媒体は回線を介してコンピュータ２０と接続される、プログラムサーバとして機能する記憶装置であってもよい。この場合には、制御プログラムを表現するデータ信号で搬送波を変調して得られる伝送信号を、プログラムサーバから伝送媒体である回線を通じて伝送するようにし、コンピュータ２０では受信した伝送信号を復調して制御プログラムを再生することで制御プログラムを実行できるようになる。
【００２３】
以下、図２のフローに従って説明する。ユーザ情報取得部２は、ユーザ端末１１において入力されたユーザ情報１２を、ネットワーク１０を介して取得する（Ｓ１１）。このユーザ情報１２には、例えば、頭頂部から前後左右の生え際までの長さ、頭部の周囲の長さ、毛量、毛色、毛の長さ、ヘアースタイル等を採用するとよい。
【００２４】
なお、ユーザがユーザ情報１２を入力する前段階として、例えばユーザ情報１２が頭頂部から前後左右の生え際までの長さ、頭部の周囲の長さ、毛量である場合には、その測定方法をユーザ端末１１に表示させるようにするとよい。具体的には、ユーザ情報１２が毛色の場合には、ユーザ端末１１に毛色の例として、毛色の画像を複数パターン表示させ、その中から選択させるようにするとよい。
【００２５】
このようにユーザ情報１２を入力させてユーザ情報取得部２がユーザ情報１２を取得した後には、シミュレーション画像作成部３がユーザ情報に基づいて、かつらのシミュレーション画像１３を作成する（Ｓ１２）。
【００２６】
シミュレーション画像作成部３は、市販の画像作成ソフト等を用いることにより、予めユーザ情報１２の種類に応じて自動的にシミュレーション画像１３を作成できるようにしておく。この画像作成は、ユーザ情報１２ごとに複数の雛形画像を上記記憶部２２等に記憶させておき、ユーザ情報取得部２が取得したユーザ情報１２の値等に応じてユーザ情報１２毎の画像を記憶部２２から抽出して組み合わせるようにするとよい。シミュレーション画像１３は、例えば、正面図、平面図、左右の側面図、背面図、底面図、斜視図等を含む複数の画像とすることができる。また、ユーザの好みの角度から表示させるようにするべく、シミュレーション画像１３を３Ｄ表示可能な画像としてもよい。
【００２７】
シミュレーション画像１３を作成した後には、シミュレーション画像送信部４により、ネットワーク１０を介してユーザ端末１１にシミュレーション画像１３を送信する（Ｓ１３）。ユーザは、送信されてきたシミュレーション画像１３を基にかつらを購入するか判断する。なお、ユーザの好みに合うシミュレーション画像１３でなかった場合には、ユーザ端末１１に再設定画面を表示させ、ユーザ情報１２の再入力を求めればよい。
【００２８】
以上の結果、ユーザがかつらの購入を希望した場合には、そのかつらのユーザ情報１１からかつらを製造し、サロン等のかつら販売所にて或いは郵送により、ユーザにかつらを届ける。
【００２９】
以上説明した本実施の形態では、ユーザ端末１１（ユーザ）から送信されるユーザ情報１２に基づいてかつらのシミュレーション画像１３を作成し、このシミュレーション画像１３をユーザ端末１１（ユーザ）に送信するため、ユーザが人に接することなく所望のかつらを選択することができる。また、ユーザは、シミュレーション画像１３を見て購入を判断するため、意図していたかつらを購入することができる。よって、本実施の形態によれば、かつら購入者が極力人に接することなく、満足するかつらを購入することができる。
【００３０】
また、本実施の形態では、ユーザ情報１２を、ユーザの頭頂部から前後左右の生え際までの長さ、頭部の周囲の長さ、毛量、毛色、毛の長さ、及び、ヘアースタイルの少なくとも１つを含む情報としている。そのため、よりリアルなシミュレーション画像を作成することができ、したがって、かつら購入者が一層満足するかつらを購入することができる。
【００３１】
図４は、本発明の他の実施の形態に係るかつら販売システムの全体構成図である。
同図において、かつら販売システム３１は、ユーザがユーザ端末１１において入力するユーザ情報１２を取得するユーザ情報取得部３２と、ユーザ情報１２に基づいてかつらのシミュレーション画像１３を作成するシミュレーション画像作成部３３と、シミュレーション画像１３をユーザ端末１１に送信するシミュレーション画像送信部３４と、ユーザの自毛の毛色、太さ、カール性、及び、硬さの少なくとも１つの、かつら販売者が入力する人毛情報を記憶する人毛情報記憶部３５と、ユーザが購入を決定したかつらのユーザ情報１２を製造情報として、かつらベース製造装置３７に送信する製造情報送信部３６とを備えている。
【００３２】
また、かつら販売システム３１は、ネットワーク１０を介して製造情報送信部３６と接続される上記かつらベース製造装置３７を備えているものとする。
図５は、上記かつら販売システムの処理の流れを示すフローチャートである。
【００３３】
同図における処理も、上記実施の形態と同様に、図３に示すごく標準的なコンピュータ２０等により実行することができる。
本実施の形態におけるユーザ情報取得（Ｓ３１）、シミュレーション画像作成（Ｓ３２）及びシミュレーション画像送信（Ｓ３３）の各工程については、上記実施の形態と同様であるため、説明を省略する。そのため、以下、シミュレーション画像１３をユーザ端末１１に送信してユーザがかつらの購入を決定した後のかつらの製造（Ｓ１４、Ｓ１５）について説明する。
【００３４】
まず、製造情報送信部３６は、ユーザが購入を決定したかつらのユーザ情報１２を製造情報として、かつらベース製造装置３７に送信する（Ｓ１４）。なお、ユーザがかつらの購入を決定した際などにユーザ端末１１に自毛の郵送を促す表示をし、ユーザがそれに従って自毛を郵送してきた場合には、その自毛の毛色、太さ、カール性、及び、硬さの少なくとも１つの人毛情報をかつら販売者が人毛情報記憶部３５に入力する。
【００３５】
人毛情報記憶部３５は、例えば、ユーザ情報１２を記憶するデータベースを兼ねる構成であってもよい。その場合には、ユーザ情報１２のうち人毛情報として利用できる情報は人毛情報として記憶されることにもなる。
【００３６】
かつらベース製造装置３７は、受信したユーザ情報１２に基づき、かつらのかつらベースを製造する（Ｓ１５）。具体的には、かつらベース製造装置３７は、ユーザ情報１２に基づいて、ネット又は人工皮膚からなるかつらベースを形成するための図６に示すような型４１を製造する。なお、かつらベース製造装置３７には、曲面を加工可能なマシニングセンタ等のＮＣ工作機械を用いることができ、必要に応じて複数の機械から構成することも考えられる。
【００３７】
また、かつらベース製造装置３７は、型４１ではなく、直接、かつらベースを製造する装置であってもよい。例えば、かつらベースを直接製造するかつらベース製造装置３７の例としては、予め用意してある型から選択された型４１に、かつらベースの材料を塗布して乾燥させる装置が挙げられる。
【００３８】
更には、かつらベース製造装置３７には、型４１を作るための予備型を製造する装置、或いは、予備型に材料を流し込むことにより型４１を製造するかつらベース製造装置３７であってもよい。かつらベース製造装置３７が予備型を製造する場合には、凸状の曲面を加工するのではなく凹状の曲面を加工すればよいため、加工が容易になる。
【００３９】
図６に示す型４１は、例えば中空の略半球状を呈するものとし、また、その外側球面は上述のユーザ情報１２に基づいて、人の頭部の形状に沿った形状に加工されているものとする。型４１の材質としては、例えば、ガラス、アクリル、硬質プラスチック、金属、木材等を用いることができる。
【００４０】
型４１を用いてかつらベース５１を製造する際には、図７に示すように、ネット或いは人工皮膚等のかつらベース５１を型４１に載せた状態で、図示しない加熱手段等を用いて型４１の形状をかつらベース５１に転写するとよい。型４１の形状、即ちユーザの頭部の形状を転写した後には、ユーザ情報に含まれる頭頂部から前後左右の生え際までの長さに合わせてかつらベース５１を切り取ればよい。
【００４１】
また、かつらベース５１として人工皮膚を用いる場合、図８に示すように、型４１に人工皮膚模様４１ａを形成しておくとよい。この人工皮膚模様４１ａの形成は、同図に示すリューターあるいはレーザー装置等の加工機４２を用い、型４１の表面に対し、皮膚に近似した模様を彫り込むようにする。この場合には、皮膚模様４１ａのパターンを加工するためのプログラムを予め加工機４２に入力しておく。
【００４２】
次に、図９に示すような、かつらベース５１が主にネットで構成されたかつら５０の分け目部或いは生え際部にのみ用いる人工皮膚５１ａを製造する方法について簡単に説明する。
【００４３】
図１０及び図１１は、上記かつらベースの一部に用いる人工皮膚の製造方法を示す説明図である。
図１０において、皮膚模様４１ａが形成された型４１は、乾燥機４３により乾燥されている。また、型４１は、乾燥機４３が設置されるベース部４４上に立設された４本の支持部４５により支持されている。この状態で、型４１の皮膚模様４１ａ上には、刷毛４６によって、人工皮膚５１ａが所望の厚さになるまで複数回繰り返し塗布されている。このように、人工皮膚５１ａを乾燥させた状態で硬化させながら塗布することにより、人工皮膚５１ａの垂れを防ぐと共に短時間での人工皮膚５１ａの製造を可能にする。
【００４４】
そして、人工皮膚５１ａが乾燥した後には、図１１に示すように、型４１から剥がすことで、皮膚模様を有する人工皮膚５１ａが製造される。ここで、人工皮膚５１ａには、頭皮に見せかけることができる材料であればよいため、例えば、ポリウレタン、シリコーン、合成樹脂等が採用可能である。
【００４５】
なお、図１０及び図１１に示す、分け目部に相当する人工皮膚５１は、人の手によっても製造することができるが、上述のかつらベース製造装置３７により製造することも考えられる。
【００４６】
次に、図９に示すかつらベース５１への人工毛５２の植毛について説明する。植毛を施すに際しては、人毛情報記憶部３５に記憶される自毛の毛色、太さ、カール性、及び、硬さの少なくとも１つの情報に基づいて、複数種の人工毛又は人毛から、人毛情報に合った人工毛５２或いは人毛を選択する。この選択は、人毛情報記憶部３５において人毛情報を参照することにより、人が選択すればよい。
【００４７】
以上説明した本実施の形態においても、ユーザ端末１１（ユーザ）から送信されるユーザ情報１２に基づいてかつらのシミュレーション画像１３を作成し、このシミュレーション画像１３をユーザ端末１１（ユーザ）に送信するため、ユーザが人に接することなく所望のかつら５０を選択することができる。また、ユーザは、シミュレーション画像１３を見て購入を判断するため、意図していたかつら５０を購入することができる。よって、本実施の形態によれば、かつら購入者が極力人に接することなく、満足するかつら５０を購入することができる。
【００４８】
また、本実施の形態では、製造情報送信部３６は、ユーザが購入を決定したかつらのユーザ情報１２を製造情報として、かつらベース製造装置３７に送信し、かつらベース製造装置３７は受信したユーザ情報１２に基づき、かつらベース５１、このベース５１を製造するための型４１、又は、型４１を製造するための予備型を製造している。そのため、かつら購入者がかつらの購入を決定した後、迅速にかつら５０を製造することができ、したがって、かつら購入者がより満足してかつら５０を購入することができる。
【００４９】
また、本実施の形態では、ユーザの自毛の毛色、太さ、カール性、及び、硬さの少なくとも１つの、かつら販売者が入力する人毛情報を記憶している。そのため、この人毛情報を参照することで、かつら装着者の自毛に近い人工毛又は人毛を有するかつらを製造することができ、したがって、かつら購入者に一層満足してかつら５０を購入してもらうことができる。
【図面の簡単な説明】
【００５０】
【図１】本発明の一実施の形態に係るかつら販売システムの全体構成図である。
【図２】上記かつら販売システムの処理の流れを示すフローチャートである。
【図３】上記処理を実施するコンピュータのハードウェア構成を示す概略図である。
【図４】本発明の他の実施の形態に係るかつら販売システムの全体構成図である。
【図５】上記かつら販売システムの処理の流れを示すフローチャートである。
【図６】上記かつら販売システムにより販売されるかつらの型の斜視図である。
【図７】上記型にかつらベースを載置した状態を示す斜視図である。
【図８】上記型への皮膚模様の形成を説明するための説明図である。
【図９】上記かつら販売システムにより販売されるかつらの一例を示す底面図である。
【図１０】上記かつらベースの一部に用いる人工皮膚の製造方法を示す説明図（その１）である。
【図１１】上記かつらベースの一部に用いる人工皮膚の製造方法を示す説明図（その２）である。
【符号の説明】
【００５１】
１      かつら販売システム
２      ユーザ情報取得部
３      シミュレーション画像作成部
４      シミュレーション画像送信部
１０      ネットワーク
１１      ユーザ端末
１２      ユーザ情報
１３      シミュレーション画像
２０      コンピュータ
２１      ＣＰＵ
２２      記憶部
２３      入力部
２４      出力部
２５      Ｉ／Ｆ部
３１      かつら販売システム
３２      ユーザ情報取得部
３３      シミュレーション画像作成部
３４      シミュレーション画像送信部
３５      人毛情報記憶部
３６      製造情報送信部
３７      かつらベース製造装置
４１      型
４１ａ      皮膚模様
４２      加工機
４３      乾燥機
４４      ベース部
４５      支持部
４６      加工機
５０      かつら
５１      かつらベース
５１ａ      人工皮膚（分け目部）
５２      人工毛
【図１】
2008210208.tif 000003
【図２】
2008210208.tif 000004
【図３】
2008210208.tif 000005
【図４】
2008210208.tif 000006
【図５】
2008210208.tif 000007
【図６】
2008210208.tif 000008
【図７】
2008210208.tif 000009
【図８】
2008210208.tif 000010
【図９】
2008210208.tif 000011
【図１０】
2008210208.tif 000012
【図１１】
2008210208.tif 000013